(57)【要約】【課題】本発明は、脆弱なガラス基板を保護することができ、取り扱いが容易となるとともに電気的接続のための無駄なスペースを排除できるＥＬ光源ユニットを得ることにある。【解決手段】ＥＬ光源ユニット22は、ＥＬ発光素子24, 25と、リジッドなプリント配線板23とを備えている。ＥＬ発光素子24, 25は、第１の端部38および第１の端部38の反対側に位置する第２の端部39に夫々複数の電極41が形成された帯状のガラス基板36と、ガラス基板36に形成された有機エレクトロルミネセンスにより発光する発光部37とを有する。プリント配線板23は、ＥＬ発光素子24, 25のガラス基板36を全長に亘って保持している。ＥＬ発光素子24, 25の第１の端部38に位置する電極41とプリント配線板23との間、およびＥＬ発光素子24, 25の第２の端部39に位置する電極41とプリント配線板23との間は、夫々フレキシブル配線板26を介して電気的に接続されている。【選択図】      図４
2008140632.tif 000002
【特許請求の範囲】
【請求項１】
第１の端部および第１の端部の反対側に位置する第２の端部に夫々複数の電極が形成された帯状のガラス基板と、このガラス基板に形成された有機エレクトロルミネセンスにより発光する発光部とを含むＥＬ発光素子と、
上記ＥＬ発光素子のガラス基板を全長に亘って保持するリジッドなプリント配線板と、
上記ＥＬ発光素子の第１の端部に位置する電極と上記プリント配線板との間、および上記ＥＬ発光素子の第２の端部に位置する電極と上記プリント配線板との間を夫々電気的に接続する複数のフレキシブル配線板と、を具備することを特徴とするＥＬ光源ユニット。
【請求項２】
請求項１の記載において、上記ＥＬ発光素子の電極と上記フレキシブル配線板とは、異方性導電膜を間に挟んで互いに熱圧着されていることを特徴とするＥＬ光源ユニット。
【請求項３】
請求項１の記載において、上記ガラス基板は、上記プリント配線板に接着されていることを特徴とするＥＬ光源ユニット。
【請求項４】
請求項１の記載において、上記プリント配線板は、上記ＥＬ発光素子が搭載される第１の面と、この第１の面の反対側に位置する第２の面とを有し、この第２の面に金属板が積層されていることを特徴とするＥＬ光源ユニット。
【請求項５】
リジッドなプリント配線板と、
上記プリント配線板に搭載された一対のＥＬ発光素子と、を具備するＥＬ光源ユニットであって、
上記各ＥＬ発光素子は、第１の端部および第１の端部の反対側に位置する第２の端部に夫々複数の電極が形成された帯状のガラス基板と、このガラス基板に形成された有機エレクトロルミネセンスにより発光する発光部と、を含み、上記ＥＬ発光素子のガラス基板が全長に亘って上記プリント配線板に保持されているとともに、
上記ＥＬ発光素子の第１の端部に位置する電極と上記プリント配線板との間、および上記ＥＬ発光素子の第２の端部に位置する電極と上記プリント配線板との間が夫々フレキシブル配線板を介して電気的に接続されていることを特徴とするＥＬ光源ユニット。
【請求項６】
請求項５の記載において、上記ＥＬ発光素子は、互いに間隔を存して平行に配置されていることを特徴とするＥＬ光源ユニット。
【請求項７】
ハウジングと、
上記ハウジングに支持され、読み取り対象物に向けて光を照射する光源と、
上記ハウジングに支持され、上記光源の駆動を司る回路板と、を具備するイメージセンサであって、
上記光源は、
第１の端部および第１の端部の反対側に位置する第２の端部に夫々複数の電極が形成された帯状のガラス基板と、このガラス基板に形成された有機エレクトロルミネセンスにより発光する発光部とを含む一対のＥＬ発光素子と、
上記ＥＬ発光素子のガラス基板を全長に亘って保持するリジッドなプリント配線板と、を備え、
上記ＥＬ発光素子の第１の端部に位置する電極と上記プリント配線板との間、および上記ＥＬ発光素子の第２の端部に位置する電極と上記プリント配線板との間を夫々フレキシブル配線板を介して電気的に接続するとともに、
上記プリント配線板と上記回路板との間をケーブルを介して電気的に接続したことを特徴とするイメージセンサ。
【請求項８】
請求項７の記載において、上記ハウジングは、上記ケーブルが通るケーブル通路を有することを特徴とするイメージセンサ。
【請求項９】
請求項７の記載において、上記プリント配線板は、上記ＥＬ発光素子のガラス基板を全長に亘って保持する第１の面と、この第１の面の反対側に位置する第２の面とを有し、この第２の面に金属板が積層されていることを特徴とするイメージセンサ。
【請求項１０】
読み取り対象物を搬送する搬送路と、
上記搬送路に設置され、上記読み取り対象物から画像情報を光学的に読み取るイメージセンサと、を具備する画像形成装置であって、
上記イメージセンサは、
(1)ハウジングと、
(2)上記ハウジングに支持され、読み取り対象物に向けて光を照射する光源と、
(3)上記ハウジングに支持され、上記光源の駆動を司る回路板と、を備え、
上記光源は、
第１の端部および第１の端部の反対側に位置する第２の端部に夫々複数の電極が形成された帯状のガラス基板と、このガラス基板に形成された有機エレクトロルミネセンスにより発光する発光部とを含むＥＬ発光素子と、
上記ＥＬ発光素子のガラス基板を全長に亘って保持するリジッドなプリント配線板と、を備え、
上記ＥＬ発光素子の第１の端部に位置する電極と上記プリント配線板との間、および上記ＥＬ発光素子の第２の端部に位置する電極と上記プリント配線板との間を夫々フレキシブル配線板を介して電気的に接続するとともに、
上記プリント配線板と上記回路板との間をケーブルを介して電気的に接続したことを特徴とする画像形成装置。
【発明の詳細な説明】
【技術分野】
【０００１】
本発明は、有機エレクトロルミネセンスにより発光するＥＬ発光素子を備えたＥＬ光源ユニット、およびＥＬ光源ユニットを光源とするイメージセンサに関する。さらに、本発明は、ＥＬ発光素子を光源とするイメージセンサを搭載した画像形成装置に関する。
【背景技術】
【０００２】
例えば、スキャナ機能、印刷機能、複写機能およびネットワーク接続機能等を有する、いわゆるマルチファンクション・ペリフェラルズ(ＭＦＰ)と称する多機能形の画像形成装置は、原稿のような読み取り対象物から文字や画像等の情報を光学的に読み取るライン走査型のイメージセンサを搭載している。
【０００３】
この種のイメージセンサは、読み取り対象物に光を照射する光源を備えている。この光源としては、ＬＥＤ発光素子が広く用いられているが、近年では、ＬＥＤ発光素子に代えて特許文献１に見られるようなＥＬ発光素子を用いることが試されている。
【０００４】
ＥＬ発光素子は、走査方向に延びる帯状のガラス基板と、このガラス基板の表面に形成された発光部とを備えている。発光部は、電界を与えた際のエレクトロルミネセンスにより発光するものであり、ガラス基板の長手方向に沿って一直線状に延びている。
【０００５】
ところで、ＥＬ発光素子を光源とするイメージセンサにおいて、読み取り対象物の光照射面に照度差が生じると、照度の低い箇所の画質が照度の高い箇所の画質よりも劣化するといった問題が生じてくる。このことから、ＥＬ発光素子を光源とするイメージセンサでは、画質のばらつきを改善するため、走査方向に沿う輝度分布が均一なＥＬ発光素子が要求される。
【０００６】
さらに、Ａ３サイズの用途が一般的である多機能型の画像形成装置では、ＥＬ発光素子がより長尺となる。このため、全長に亘って均一な輝度のＥＬ発光素子を得るためには、その長手方向に沿う両端に電圧を印加することが必要となる。
【０００７】
それとともに、読み取り対象物に光を照射した時に、読み取り対象物の光照射面上に影ができないように、一般的には読み取り対象物で反射された光を受光素子に導くレンズの光軸を間に挟んで二つのＥＬ発光素子を配置している。
【特許文献１】特開２００３−８７５０２号公報
【発明の開示】
【発明が解決しようとする課題】
【０００８】
全長に亘って輝度が均一なＥＬ発光素子を得ようとすると、破損し易い長尺なガラス基板の両端部に夫々複数の電極が位置するのを避けられない。このことから、ＥＬ発光素子の駆動を司るプリント回路板と電極との間を複数のケーブルを介して接続した場合に、脆弱なガラス基板の端部にケーブルと電極との接続箇所が集中することになる。
【０００９】
したがって、ガラス基板の端部に複数のケーブルを介して引っ張り等の外力が作用する虞れがあり、これがＥＬ発光素子の破損を招く一つの要因となる。
【００１０】
さらに、ガラス基板の両端部から複数のケーブルが引き出されるので、ＥＬ発光素子の周囲にケーブルを配線する広いスペースを確保しなくてはならない。したがって、このスペースの分だけイメージセンサが大型し、近年のイメージセンサをコンパクト化したいという要請に逆行することになる。
【００１１】
本発明の目的は、脆弱なガラス基板を保護することができ、取り扱いが容易となるとともに、電気的接続のための無駄なスペースを排除できるＥＬ光源ユニットを得ることにある。
【００１２】
本発明の他の目的は、上記ＥＬ光源ユニットを光源とするコンパクトなイメージセンサを得ることにある。
【００１３】
本発明のさらに他の目的は、上記イメージセンサを搭載した画像形成装置を得ることにある。
【課題を解決するための手段】
【００１４】
上記目的を達成するため、本発明の一つの形態に係るＥＬ光源ユニットは、第１の端部および第１の端部の反対側に位置する第２の端部に夫々複数の電極が形成された帯状のガラス基板と、このガラス基板に形成された有機エレクトロルミネセンスにより発光する発光部とを含むＥＬ発光素子と、上記ＥＬ発光素子のガラス基板を全長に亘って保持するリジッドなプリント配線板と、上記ＥＬ発光素子の第１の端部に位置する電極と上記プリント配線板との間、および上記ＥＬ発光素子の第２の端部に位置する電極と上記プリント配線板との間を夫々電気的に接続する複数のフレキシブル配線板と、を備えることを特徴としている。
【００１５】
上記目的を達成するため、本発明の一つの形態に係るイメージセンサは、ハウジングと、上記ハウジングに支持され、読み取り対象物に向けて光を照射する光源と、上記ハウジングに支持され、上記光源の駆動を司る回路板と、を具備している。上記光源は、第１の端部および第１の端部の反対側に位置する第２の端部に夫々複数の電極が形成された帯状のガラス基板と、このガラス基板に形成された有機エレクトロルミネセンスにより発光する発光部とを含む一対のＥＬ発光素子と、上記ＥＬ発光素子のガラス基板を全長に亘って保持するリジッドなプリント配線板と、を備えており、上記ＥＬ発光素子の第１の端部に位置する電極と上記プリント配線板との間、および上記ＥＬ発光素子の第２の端部に位置する電極と上記プリント配線板との間を夫々フレキシブル配線板を介して電気的に接続するとともに、上記プリント配線板と上記回路板との間をケーブルを介して電気的に接続したことを特徴としている。
【００１６】
上記目的を達成するため、本発明の一つの形態に係る画像形成装置は、読み取り対象物を搬送する搬送路と、上記搬送路に設置され、上記読み取り対象物から画像情報を光学的に読み取るイメージセンサと、を具備している。上記イメージセンサは、(1)ハウジングと、(2)上記ハウジングに支持され、読み取り対象物に向けて光を照射する光源と、(3)上記ハウジングに支持され、上記光源の駆動を司る回路板と、を備えている。上記光源は、第１の端部および第１の端部の反対側に位置する第２の端部に夫々複数の電極が形成された帯状のガラス基板と、このガラス基板に形成された有機エレクトロルミネセンスにより発光する発光部とを含むＥＬ発光素子と、上記ＥＬ発光素子のガラス基板を全長に亘って保持するリジッドなプリント配線板と、を備えており、上記ＥＬ発光素子の第１の端部に位置する電極と上記プリント配線板との間、および上記ＥＬ発光素子の第２の端部に位置する電極と上記プリント配線板との間を夫々フレキシブル配線板を介して電気的に接続するとともに、上記プリント配線板と上記回路板との間をケーブルを介して電気的に接続したことを特徴としている。
【発明の効果】
【００１７】
本発明によれば、ガラス基板を有する脆弱なＥＬ発光素子を、リジッドなプリント配線板で補強して保護することができる。それとともに、ＥＬ発光素子の電極とプリント配線板との間の電気的な接続がプリント配線板の上で行われるので、電極が位置する脆弱なガラス基板の第１および第２の端部に電気配線の引き回しに伴う外力が働き難くなる。
【００１８】
したがって、例えばＥＬ発光素子の生産過程、運搬過程等において、ＥＬ発光素子の取り扱いが容易となるとともに、ＥＬ発光素子を保護する格別な緩衝材や包装材を不要とすることができる。
【００１９】
さらに、ＥＬ発光素子の複数の電極同士をプリント配線板を利用して接続できるので、ＥＬ発光素子の外に引き出されるケーブルの本数を電極の数よりも大幅に減らすことができる。この結果、ＥＬ発光素子の周囲あるいはイメージセンサのハウジングの内部に数多くのケーブルを通すスペースを確保する必要はなく、ＥＬ光源ユニットひいてはイメージセンサのハウジングのコンパクト化が可能となる。
【発明を実施するための最良の形態】
【００２０】
以下本発明の実施の形態を、図面に基づいて説明する。
【００２１】
図１は、画像形成装置１の概略を直線状に展開して示している。画像形成装置１は、読み取り対象物としての原稿２を載置するホッパーテーブル３を備えている。ホッパーテーブル３に載置された原稿２は、給紙ローラ４を介して搬送路５に送り込まれるようになっている。搬送路５は、ホッパーテーブル３と図示しないスタッカーとの間を結んでいる。
【００２２】
搬送路５の上に複数のローラ６が配置されている。ローラ６は、原稿２の送り方向に間隔を存して並んでいるとともに、互いに同期して回転するようになっている。このローラ６の回転により、原稿２が搬送路５の始端から終端に向けて順次搬送される。
【００２３】
搬送路５の途中に、例えば密着型イメージセンサ１０が配置されている。密着型イメージセンサ１０は、搬送路５に沿って搬送される原稿２から文字や画像等の情報を光学的に読み取るためのものであって、搬送路５の下方に設置されている。
【００２４】
図２乃至図４に示すように、密着型イメージセンサ１０は、合成樹脂製のハウジング１１を有している。ハウジング１１は、走査方向に沿う細長い棒状をなしており、原稿２の搬送方向に対し直交する方向に延びている。
【００２５】
ハウジング１１の上面に第１の凹部１２が形成されている。第１の凹部１２は、ハウジング１１の長手方向に延びている。第１の凹部１２は、ハウジング１０の上面に開口する開口部１３と、この開口部１３と向かい合う底面１４とを有している。開口部１３は、透明なガラス板１５によって塞がれている。ガラス板１５は搬送路５に露出しており、このガラス板１５の上を原稿２が通過するようになっている。
【００２６】
ハウジング１１の底面に第２の凹部１６が形成されている。第２の凹部１６は、ハウジング１１の長手方向に延びている。第２の凹部１６は、ハウジング１１の内部に形成した連通孔１７を通じて第１の凹部１２に通じている。連通孔１７は、ハウジング１１の幅方向に沿う中央部に位置するとともに、ハウジング１１の長手方向に延びている。
【００２７】
連通孔１７の内部にレンズユニット１８が保持されている。レンズユニット１８は、ハウジング１１の長手方向に延びており、その上端部が第１の凹部１２の内部に突出している。レンズユニット１８は、走査方向と直交するように起立する中心軸線Ｏ１を有している。
【００２８】
第２の凹部１６にセンサ基板１９が取り付けられている。センサ基板１９は、第２の凹部１６を閉塞するようにハウジング１１の長手方向に延びている。センサ基板１９の上面に複数のＣＣＤのような受光素子２０が実装されている。受光素子２０は、ハウジング１１の長手方向に一列に並んでいるとともに、レンズユニット１８の中心軸線Ｏ１上に位置している。
【００２９】
ハウジング１１の第１の凹部１２は、図５に示すような有機ＥＬ光源ユニット２２を収容している。本実施の形態の有機ＥＬ光源ユニット２２は、リジッドなプリント配線板２３と、プリント配線板２３に貼り付けられた一対のＥＬ発光素子２４，２５と、ＥＬ発光素子２４，２５の両端に設けられた四つのフレキシブル配線板２６と、を備えている。
【００３０】
プリント配線板２３は、例えばガラスエポキシ樹脂やセラミックのような折り曲げが困難な硬質な材料で造られている。図５および図６に示すように、プリント配線板２３は、一対のＥＬ支持部２７ａ，２７ｂを有している。ＥＬ支持部２７ａ，２７ｂは、走査方向に沿うようにハウジング１１の長手方向にライン状に延びている。ＥＬ支持部２７ａ，２７ｂは、夫々一端２８および他端２９を有している。一端２８および他端２９は、ＥＬ支持部２７ａ，２７ｂの長手方向に離間している。
【００３１】
一方のＥＬ支持部２７ａの一端２８と他方のＥＬ支持部２７ｂの一端２８とは、ブリッジ部３０を介して互いに連結されている。同様に、一方のＥＬ支持部２７ａの他端２９と他方のＥＬ支持部２７ｂの他端２９とは、他のブリッジ部３１を介して互いに連結されている。このため、プリント配線板２３のＥＬ支持部２７ａ，２７ｂは、互いに間隔を存して平行に配置されている。
【００３２】
図４および図８に示すように、プリント配線プリントは２３の各ＥＬ支持部２７ａ，２７ｂは、第１の面３２と、この第１の面３２の反対側に位置する第２の面３３とを有している。第１の面３２は、ガラス板１５の方向を向いている。第１の面３２のうちＥＬ支持部２７ａ，２７ｂの一端２８および他端２９に対応する位置に夫々一対の第１の電極３４が形成されている。図６に示すように、第１の電極３４は、ＥＬ支持部２７ａ，２７ｂの幅方向に並んでいるとともに、ＥＬ支持部２７ａ，２７ｂの長手方向に離れている。このため、ＥＬ支持部２７ａ，２７ｂは、夫々四つの第１の電極３４を有している。
【００３３】
図４に示すように、プリント配線板２３のＥＬ支持部２７ａ，２７ｂの第２の面３３は、ハウジング１１の第１の凹部１２の底面１４の方向を向いている。一方のＥＬ支持部２７ａの第２の面３３に一対の第２の電極３５（一方のみを図示）が形成されている。第２の電極３５は、ＥＬ支持部２７ａの一端２８に位置するとともに、プリント配線板２３に形成した図示しない導体層を介して第１の電極３４に電気的に接続されている。
【００３４】
ＥＬ発光素子２４，２５は、ＥＬ支持部２７ａ，２７ｂの第１の面３２に実装されている。ＥＬ発光素子２４，２５は、夫々透明なガラス基板３６と発光部３７とを備えている。ガラス基板３６は、走査方向に沿うようにライン状に延びている。ガラス基板３６は、第１の端部３８と第２の端部３９とを有している。第１の端部３８は、ガラス基板３６の長手方向に沿う一端に位置している。第２の端部３９は、第１の端部３８の反対側であるガラス基板３６の長手方向に沿う他端に位置している。
【００３５】
ガラス基板３６の第１および第２の端部３８，３９に、夫々一対の第３の電極４１が形成されている。第３の電極４１は、例えばインジウムと錫の酸化膜からなるＩＴＯ(Indium Tin Oxide)電極であって、図６に示すようにガラス基板３６の幅方向に並んでいる。
【００３６】
発光部３７は、ガラス基板３６の下面に形成されて、ガラス基板３６の長手方向に延びている。発光部３７は、電界を与えた際のエレクトロルミネセンスにより発光するものであり、その長手方向に沿う一端および他端が第３の電極４１に電気的に接続されている。このため、発光部３７は、その長手方向に沿う両端に電圧を印加することで電界が与えられて、長手方向に均一に発光するようになっている。言い換えると、ＥＬ発光素子２４，２５の輝度分布が長手方向に沿って均等となる。
【００３７】
ＥＬ発光素子２４，２５のガラス基板３６は、例えば両面接着テープ４２によってプリント配線板２３のＥＬ支持部２７ａ，２７ｂの第１の面３２に接着されている。このため、ＥＬ支持部２７ａ，２７ｂは、ＥＬ発光素子２４，２５のガラス基板３６を全長に亘って保持している。
【００３８】
ＥＬ発光素子２４，２５の両側に位置するフレキシブル配線板２６は、ＥＬ発光素子２４，２５とプリント配線板２３との間を電気的に接続するためのものである。各フレキシブル配線板２６は、例えばポリエステルやポリイミドのような柔軟な絶縁フィルム４３を有している。絶縁フィルム４３の上に第４の電極４４および第５の電極４５が形成されている。
【００３９】
第４の電極４４は、プリント配線板２３の第１の電極３４に対応するものであり、絶縁フィルム４３の一端に位置している。第５の電極４４は、ガラス基板３６の第３の電極４１に対応するものであり、絶縁フィルム４３の他端に位置している。
【００４０】
フレキシブル配線板２６の第４の電極４４とプリント配線板２３の第１の電極３４とは、異方性導電膜４６を間に挟んで熱圧着されている。同様に、フレキシブル配線板２６の第５の電極４５とガラス基板３６の第３の電極４１とは、他の異方性導電膜４７を間に挟んで熱圧着されている。
【００４１】
したがって、フレキシブル配線板２６は、プリント配線板２３の第１の面３２の上で第１の電極３４と第４の電極４４との間、および第３の電極４１と第５の電極４５との間を電気的に接続している。
【００４２】
図３、図４および図７に示すように、ＥＬ支持部２７ａ，２７ｂの第２の面３３に金属板４８が積層されている。金属板４８は、ＥＬ発光素子２４，２５の発光部３７の全長に亘るような長さ寸法を有するとともに、その幅寸法が全長に亘って一定となっている。第２の面３３と金属板４８との間に絶縁テープ５０が介在されている。第２の面３３の上に位置する第２の電極３５は、金属板４８や絶縁テープ５０で覆われることなく第１の凹部１２の内部に露出している。
【００４３】
図３および図４に示すように、金属板４８は、両面接着テープ５１を介して第１の凹部１２の底面１４に固定されている。ＥＬ発光素子２４，２５を第１の凹部１２に固定した状態では、ＥＬ発光素子２４，２５がレンズユニット１８を間に挟んで二列に並んでいる。
【００４４】
図３および図９に示すように、ハウジング１１にＥＬ発光素子２４，２５の駆動を司る回路板５３が支持されている。回路板５３は、ハウジング１１の長手方向に延びる長方形状をなしており、その長手方向に沿う複数個所がハウジング１１の側面から突出するボス部５４にリベット５５を介して固定されている。さらに、回路板５３は、センサ基板１９の下面に積層されて、このセンサ基板１９に電気的に接続されている。
【００４５】
図９に示すように、回路板５３は、二本のケーブル５６を介して有機ＥＬ光源ユニット２２のプリント配線板２３に電気的に接続されている。ケーブル５６は、ハウジング１１に形成したケーブル通路５７およびセンサ基板１９に開けた貫通孔５８を通じて配線されている。
【００４６】
図４に示すように、ケーブル５６の一端は、ケーブル通路５７からプリント配線板２３と第１の凹部１２の底面１４との間に導かれるとともに、プリント配線板２３の第２の電極３５に半田付けされている。
【００４７】
さらに、ケーブル５６は、ケーブル通路５７から貫通孔５８を通じてハウジング１１の外に引き出されている。ケーブル５８の他端は、回路板５３の下面に沿うように引き回された後、この回路板５３の下面に形成した一対のパッド５９に半田付けされている。
【００４８】
上記のように構成された有機ＥＬ光源ユニット２２を動作させると、ＥＬ発光素子２４，２５の発光部３７が発光する。発光部３７からの光は、ガラス板１５を通じて原稿２に照射される。原稿２に照射された光は、原稿２の下面で反射した後、レンズユニット１８を介して受光素子２０に導かれる。受光素子２０は、受光量に応じたレベルの信号を出力する。これにより、原稿２に描かれた文字や画像のような情報が光学的に読み取られる。
【００４９】
このような密着型イメージセンサ１０によると、ＥＬ発光素子２４，２５を構成する脆弱なガラス基板３６は、プリント配線板２３のＥＬ支持部２７ａ，２７ｂの第１の面３２に接着されている。プリント配線板２３は、折り曲げが困難な硬質な材料で構成されるとともに、そのＥＬ支持部２７ａ，２７ｂは、ガラス基板３６を全長に亘って保持している。
【００５０】
このため、ＥＬ発光素子２４，２５の中でも破損し易いガラス基板３６を、リジッドなプリント配線板２３で補強することができ、ＥＬ発光素子２４，２５を外部からの振動や衝撃から保護することができる。
【００５１】
特に本実施の形態では、プリント配線板２３のＥＬ支持部２７ａ，２７ｂに金属板４８が積層されているので、この金属板４８とプリント配線板２３の双方でガラス基板３６を保護することができる。
【００５２】
さらに、ＥＬ発光素子２４，２５の第３の電極４１とプリント配線板２３の第１の電極３４との間を電気的に接続するフレキシブル配線板２６は、プリント配線板２３の上で第３の電極４１と第１の電極３４との間に跨っている。
【００５３】
このため、ＥＬ発光素子２４，２５とプリント配線板２３との間の電気的な接続が硬質なプリント配線板２３の上で行われることになり、例えばＥＬ発光素子２４，２５の第３の電極４１に個々にリード線を半田付けする場合との比較において、脆弱なガラス基板３６の第１および第２の端部３８，３９にリード線の引き回しに伴う外力が加わり難くなる。
【００５４】
この結果、例えばＥＬ発光素子２４，２５の生産過程および運搬過程等において、ＥＬ発光素子２４，２５の取り扱いを容易に行えるとともに、ＥＬ発光素子２４，２５を衝撃から保護する格別な緩衝材や包装材を不要とすることができる。
【００５５】
加えて、ＥＬ発光素子２４，２５が有する合計８個の第１の電極３４をプリント配線板２３に接続することで、８個の第１の電極３４をプリント配線板２３の一対の第３の電極４１に集約させることができる。このため、ＥＬ光源ユニット２２の外に引き出されるケーブル５６の本数を二本に減らすことができ、ＥＬ光源ユニット２２の周囲あるいはハウジング１１の内部に配線用の広いスペースを確保する必要はない。
【００５６】
したがって、ＥＬ光源ユニット２２およびハウジング１１をコンパクトに形成することができ、密着型イメージセンサ１０ひいては画像形成装置１の小型化に寄与するといった利点がある。
【００５７】
なお、上記実施の形態では、ＥＬ発光素子のガラス基板を両面接着テープを介してプリント配線板のＥＬ支持部に接着したが、本発明はこれに限らない。例えば、ガラス基板とＥＬ支持部との間に跨るように係合するホルダを用いてガラス基板をＥＬ支持部に保持するようにしてもよい。
【図面の簡単な説明】
【００５８】
【図１】本発明の実施の形態に係る画像形成装置の概略を示す側面図。
【図２】本発明の実施の形態に係る密着型イメージセンサの斜視図。
【図３】本発明の実施の形態に係る密着型イメージセンサの幅方向に沿う断面図。
【図４】本発明の実施の形態に係る密着型イメージセンサの長手方向に沿う断面図。
【図５】本発明の実施の形態に係る有機ＥＬ光源ユニットの平面図。
【図６】本発明の実施の形態において、プリント配線板とＥＬ発光素子との接続部分の構造を示す平面図。
【図７】本発明の実施の形態に係る有機ＥＬ光源ユニットの断面図。
【図８】本発明の実施の形態において、ＥＬ発光素子とプリント配線板との接続部分の構造を示す有機ＥＬ光源ユニットの断面図。
【図９】本発明の実施の形態において、ハウジングに支持された回路板とケーブルとの接続部分の構造を示す密着型イメージセンサの斜視図。
【符号の説明】
【００５９】
２…読み取り対象物（原稿）、５…搬送路、１０…イメージセンサ（密着型イメージセンサ）、１１…ハウジング、２２…光源（ＥＬ光源ユニット）、２３…プリント配線板、２４，２５…ＥＬ発光素子、２６…フレキシブル配線板、２８…一端、２９…他端、３６…ガラス基板、３７…発光部、３８…第１の端部、３９…第２の端部、４１…電極（第３の電極）、５３…回路板、５６…ケーブル。
【図１】
2008140632.tif 000003
【図２】
2008140632.tif 000004
【図３】
2008140632.tif 000005
【図４】
2008140632.tif 000006
【図５】
2008140632.tif 000007
【図６】
2008140632.tif 000008
【図７】
2008140632.tif 000009
【図８】
2008140632.tif 000010
【図９】
2008140632.tif 000011